(57)【要約】【課題】この発明は、携帯に便利で噴射方向を保持し誤作動防止機構を備えた手動式携帯用スプレーの改良に関する。【解決手段】噴射ノズルを備えた作動ヘッドをガイド筒部に嵌合して昇降可能とした手動式携帯用スプレーにおいて、作動ヘッドに該作動ヘッドの軸線に沿って延びる溝またはリブを設け、ガイド筒部に前記溝またはリブに嵌合して上下に摺動可能なリブまたは溝を設け、前記ガイド筒部に、前記作動ヘッドまたはガイド筒部に設けられた溝に出没可能な爪部を有するストッパを枢着したことを特徴とする。【選択図】図１
2011125773.tif 000002
【特許請求の範囲】
【請求項１】
噴射ノズルを備えた作動ヘッドをガイド筒部に嵌合し昇降しながら噴射させる手動式携帯用スプレーにおいて、
作動ヘッドに該作動ヘッドの軸線に沿って延びる溝またはリブを設け、
ガイド筒部に前記溝またはリブに嵌合して上下にスライド可能に嵌合するリブまたは溝を設け、
前記ガイド筒部に、前記作動ヘッドまたはガイド筒部に設けられた溝に出没可能な爪部を有するストッパを枢着し、
前記爪部をガイド筒部に設けた溝に突入して作動ヘッドに設けられたリブの下端と衝合させて作動ヘッドの下降への動きをロックし、または前記爪部をガイド筒部に設けたリブの外側で作動ヘッドに設けられた溝に係合して作動ヘッドの下降への動きをロックしてなることを特徴とする手動式携帯用スプレー。
【請求項２】
ガイド筒部に設けられた溝またはリブの下方に外方へ突出し下方に延びるクリップを設け、該クリップの基部に爪部を有するストッパを枢着してなることを特徴とする請求項１に記載の手動式携帯用スプレー。
【請求項３】
作動ヘッドに該作動ヘッドの軸線に沿って延びるリブを設け、
ガイド筒部に前記リブに嵌合して上下にスライド可能に嵌合する溝を設け、
該溝の下方に外方へ突出し下方に延びるクリップを設け、
該クリップの基部に爪部を有するストッパを枢着してなり、
該ストッパを枢動して爪部を上昇位置にある作動ヘッドのリブの下端に衝合させて作動ヘッドの下降の動きをロックしうることを特徴とする請求項１または２に記載の手動式携帯用スプレー。
【請求項４】
作動ヘッドに該作動ヘッドの軸線に沿って延びる溝を設け、
ガイド筒部の上部に前記溝に嵌合して上下にスライド可能に嵌合するリブを設け、
該リブの下方に外方へ突出し下方に延びるクリップを設け、
該クリップの基部に前記リブの左右の外側に対応して配置された爪部を有するストッパを枢着してなり、
該ストッパを枢動して爪部をリブに対応する溝の下部に形成されてリブの左右の外側に配置された係止溝部に係合させて作動ヘッドの下降の動きをロックしうることを特徴とする請求項１または２に記載の手動式携帯用スプレー。
【発明の詳細な説明】
【技術分野】
【０００１】
この発明は、携帯に便利で噴射方向を保持し誤作動防止機構を備えた手動式携帯用スプレーの改良に関する。
【背景技術】
【０００２】
従来、手動式小型スプレ−は携帯時に収納されたポケットやカバンの中で位置を確認できないため内部で引つ掛かり、蓋が外れて不意に噴射したり、容易に取出すことができなかった。
また、注出口を備えた昇降用ヘッドはガイド筒部に対して周回方向に旋回しやすく、噴射時に回転すると噴射目標とは異なつた個所に誤って噴射してしまう不具合もある。
そこで、実公平８−２１３２号の液体注出容器では、作動ヘッドの周壁後面に縦軸方向に走る突条を突設し、案内筒の内周上端部に設けられた係合凹溝に係合させて、前記作動ヘッドに設けた注出口が常時シリンダーに対して所定方向を向いた状態で往復動することで、噴射方向を規制する構成が開示されている。
しかし上記構成では、作動ヘッドが意図せずに押された場合に、誤操作を防止することができない。
一方、例えば実開平２−１０８７６０号のアトマイザーでは、ノズルヘッドに突起を設け、この突起をノズルヘッド固定部に形成されたねじ溝に螺合してノズルヘッドを係止したディスペンサーのロック機構において、前記ノズルヘッド固定部に引掛片を回動自在とし、この引掛片を前記ノズルヘッドに掛止めることで誤動作を防止する構造が開示されている。
しかし上記構成では、ノズルヘッド固定部に引掛片を設け、該引掛片を掛止めるための凹みをノズルヘッドに形成する必要があり、構造が複雑化する欠点があった。
【先行技術文献】
【特許文献】
【０００３】
【特許文献１】特開２００１−４９７５７号公報
【特許文献２】特開２００４−１１１８８号公報
【発明の概要】
【発明が解決しようとする課題】
【０００４】
この発明は、上記事情に鑑みて創案されたものであって、その主たる課題は、ガイド筒部に嵌合されて昇降する作動ヘッドを、該作動ヘッドの軸線を中心として自由に回転しないように規制すると共に、ストッパを用いて前記作動ヘッドの押し下げをロック乃至ロック解除しうるようにした手動式携帯用スプレーを提供することにある。
【課題を解決するための手段】
【０００５】
この発明は、上記課題を解決するために、請求項１の発明では、
噴射ノズルを備えた作動ヘッドをガイド筒部に嵌合し昇降しながら噴射させる手動式携帯用スプレーにおいて、
作動ヘッドに該作動ヘッドの軸線に沿って延びる溝またはリブを設け、
ガイド筒部に前記溝またはリブに嵌合して上下にスライド可能に嵌合するリブまたは溝を設け、
前記ガイド筒部に、前記作動ヘッドまたはガイド筒部に設けられた溝に出没可能な爪部を有するストッパを枢着し、
前記爪部をガイド筒部に設けた溝に突入して作動ヘッドに設けられたリブの下端と衝合させて作動ヘッドの下降への動きをロックし、または前記爪部をガイド筒部に設けたリブの外側で作動ヘッドに設けられた溝に係合して作動ヘッドの下降への動きをロックしてなることを特徴とする。
また、請求項２の発明では、
前記ガイド筒部に設けられた溝またはリブの下方に外方へ突出し下方に延びるクリップを設け、該クリップの基部に爪部を有するストッパを枢着してなることを特徴とする。
【０００６】
請求項３の発明では、
前記作動ヘッドに該作動ヘッドの軸線に沿って延びるリブを設け、
前記ガイド筒部に前記リブに嵌合して上下にスライド可能に嵌合する溝を設け、
該溝の下方に外方へ突出し下方に延びるクリップを設け、
該クリップの基部に爪部を有するストッパを枢着してなり、
該ストッパを枢動して爪部を上昇位置にある作動ヘッドのリブの下端に衝合させて作動ヘッドの下降の動きをロックしうることを特徴とする。
請求項４の発明では、
前記作動ヘッドに該作動ヘッドの軸線に沿って延びる溝を設け、
前記ガイド筒部の上部に前記溝に嵌合して上下にスライド可能に嵌合するリブを設け、
該リブの下方に外方へ突出し下方に延びるクリップを設け、
該クリップの基部に前記リブの左右の外側に対応して配置された爪部を有するストッパを枢着してなり、
該ストッパを枢動して爪部をリブに対応する溝の下部に形成されてリブの左右の外側に配置された係止溝部に係合させて作動ヘッドの下降の動きをロックしうることを特徴とする。
【発明の効果】
【０００７】
この発明の手動式携帯用スプレーは、液体容器に固定されたガイド筒部に嵌合された作動ヘッドが、リブと溝の係合により作動ヘッドの軸線を中心にして自在に回転することがないように規制されると共に、前記溝に突入可能な爪部を有するストッパを枢動可能に設けることで、前記リブが溝内で不意に下降しないように衝合させて下降しようとする作動ヘッドの動きを簡単な構成で拘束することができる。
【図面の簡単な説明】
【０００８】
【図１】実施例１の手動式携帯用スプレーの組立て状態を示す分解斜視図である。
【図２】図１の要部拡大図である。
【図３】（ａ）は実施例１のクリップ側から見た斜視図、（ｂ）は噴射ノズル側から見た斜視図である。
【図４】（ａ）実施例１の手動式携帯用スプレーのストッパの解除状態を示す要部側面図、（ｂ）はストッパのロック状態を示す要部側面図である。
【図５】実施例２の手動式携帯用スプレーの組立て状態を示す分解斜視図である。
【図６】図４の要部拡大図である。
【図７】実施例２の手動式携帯用スプレーの斜視図である。
【図８】（ａ）実施例２の手動式携帯用スプレーのストッパの解除状態を示す要部側面図、（ｂ）はストッパのロック状態を示す要部側面図である。
【発明を実施するための形態】
【０００９】
以下に、この発明の手動式携帯用スプレーの好適実施例について図面を参照しながら説明する。
【実施例１】
【００１０】
図１から図４に示す実施例１の手動式携帯用スプレー１は、液体容器２と、ポンプ本体３と、前記液体容器２の口部２ａに螺着されるガイド筒部４と、該ガイド筒部４に昇降自在に嵌合する作動ヘッド５とからなっている。
【００１１】
［液体容器］
液体容器２は、合成樹脂製の筒体からなっている。
該筒体の上部には、小径の口部２ａを突設しており、該口部２ａの外周に雄ネジを刻設した公知構成からなっている。
【００１２】
［ポンプ本体］
ポンプ本体３は、後述の作動ヘッド５の昇降で液体容器２内を加圧し、液体容器２内の液体を上昇させて作動ヘッド５の噴射ノズル５ａから噴射させる構成からなっている。
【００１３】
ポンプ本体３の構造は上記実施例に限定されず、要するに作動ヘッド５の昇降動で液体を噴射ノズル５ａから噴射させることができればよく、液体容器内に液体を充填せずに液体を充填した加圧容器（図示せず）を内蔵し、作動ヘッド５の昇降で該加圧容器から液体を噴射させる構成などであってもよい。
【００１４】
［ガイド筒部］
ガイド筒部４は、筒体からなって下部の内周面に雌ネジを刻設しており、前記液体容器２の口部２ａの雄ネジに螺合して、液体容器２に固定される。
また、上部は開口しており、後述の作動ヘッド５を昇降可能に嵌合しうるようになっている。
図中４ａは、 ガイド筒部４内に固定されて、作動ヘッド５の昇降動による加圧をポンプ本体３に伝達するための伝達部である。
【００１５】
［溝］
このガイド筒部４には、その外周壁に上端から中途位置まで垂直に延びる溝１０が穿設されている。
この溝１０の上下の長さは、後述の作動ヘッド５の昇降ストロークの長さに対応するものであり、横幅は、作動ヘッド５に形成されるリブ９をガイドして上下に摺動させうる幅長に設定されている。
【００１６】
［クリップ］
またガイド筒部４の前記溝１０の下部には外方へ突出し下方に延びる略Ｊ字状のクリップ６が一体に形成されている。
このクリップ６は、手動式携帯用スプレー１を携帯する際にポケットなどに掛け止めて使用することができる。
【００１７】
［ストッパ］
該クリップ６は、その基部６ａの左右両側に一対の軸孔６ｂを有している。
一方、ストッパ７は略Ｌ状に曲成された片からなっている。
該ストッパ７を構成する一方の片は、前記基部６ａに外嵌する断面チャンネル状の基盤部７ａからなっており、その表面には外方へ突出する爪部８が設けられている。
また、基盤部７ａの左右両側の内壁面には、前記軸孔６ｂに軸受けされる枢軸７ｃが突設されている（図４参照）。
【００１８】
前記基盤部７ａから略直角に折れ曲がる他方の片は把持用の摘片７ｂからなっており、表面に滑り止め用の凹凸面を形成している。
摘片７ｂは、図４（ａ）に示すように、ストッパ７をクリップ６の基部６ａに外嵌させた際に、摘片７ｂの先端はクリップ６より外方に突出して、使用者が摘みやすいようになっている。
【００１９】
そこで、摘片７ｂを摘み前記枢軸７ｃを支点にして、摘片７ｂが水平状態から垂直状態に起立するように回転させると、前記爪部８は前記溝１０内に突入するように、爪部８の形状や配置が設定されている。
【００２０】
［作動ヘッド］
作動ヘッド５は、上部に頂面を有するキャップ形状からなっており、その外周壁の一方に噴射ノズル５ａを設けており、他方に前記溝１０に嵌合するリブ９を突設している。
リブ９は、図示例の場合、縦長の長方形状に隆起した突部形状からなっており、図４（ａ）に示すように、該リブ９は前記溝１０に沿って案内されながら上下に摺動してポンプ本体３を加圧するようになっている。
この際に、ストッパ７は、クリップ６の基部６ａに外嵌する待機姿勢にある。
【００２１】
そして、図４（ｂ）に示すように、前記ストッパ７の摘片７ｂを持ち上げて９０度回転すると、前記爪部８が溝１０内に突入する。
爪部８の突入位置は、上昇した作動ヘッド５のリブ９に衝合するように配置されているので、作動ヘッド５の下降への動きがロックされ、ポンプ本体３が加圧されることがない。
【００２２】
ロック解除を行うには、前記直立姿勢の摘部７ｂを水平姿勢となるよう下向きに回転すればよい。
これにより、前記爪部８が溝１０から脱するので、作動ヘッド５のリブ９はロックが解除されて溝１０に沿って下降でき、作動ヘッド５を自由に昇降させることができる。
【実施例２】
【００２３】
図５から図８に示す実施例２の手動式携帯用スプレー１は、基本構造は前記実施例１と同じであるが、溝１０を作動ヘッド５に形成し、リブ９をガイド筒部４に設けた異なる実施例を示す。
【００２４】
［ガイド筒部］
ガイド筒部４は、その上端縁部の一部に外周壁の延長上に沿って上方へ突出するリブ９を突設している。
また、リブ９と僅かに離間した下方位置となる外周壁には外方へ突出し下方に延びる略Ｊ字状のクリップ６が一体に形成されている。
【００２５】
［ストッパ］
該クリップ６は、その基部６ａの左右両側に一対の軸孔６ｂを有しており、ストッパ７の枢軸７ｃを軸支しており、該枢軸７ｃを中心としてストッパ７が枢動自在となっている。
ストッパ７は、その基盤部７ａに左右一対の爪部８を有している。
この一対の爪部８の間隔は前記リブ９の横幅と同様乃至僅かに長く設定されている。
【００２６】
［作動ヘッド］
作動ヘッド５は、上部に頂面を有するキャップ形状からなっており、その外周壁の一方に噴射ノズル５ａを設けており、他方に下端が開口し中途位置まで垂直に延びる溝１０を設けている。
【００２７】
［溝］
溝１０は、基本的に前記リブ９に対応する横幅と、作動ヘッド５の昇降ストロークに対応する長さを有しており、更に下端にリブ９の横幅より広い幅長で前記ストッパ７の爪部８を突入させるための係止溝部１０ａが一体に形成されている。
本実施例では係止溝部１０ａは左右一対に設けたが、一方だけであってもよい。
その他の構成は前記実施例と同様であるので、その説明を省略する。
【００２８】
上記構成からなっているので、図８（ａ）に示すように、前記溝１０はリブ９に沿って案内されながら上下に摺動して作動ヘッド５を昇降してポンプ本体３を加圧するようになっている。
【００２９】
そして、図８（ｂ）に示すように、作動ヘッド５が上昇位置で、ストッパ７の摘片７ｂを持ち上げて９０度回転すると、前記一対の爪部８がリブ９の左右から溝１０の係止溝部１０ａ内に突入する。
爪部８の突入による係止溝部１０ａとの衝合により、溝１０とリブ９との間にスペースがあっても作動ヘッド５の下降への動きがロックされ、ポンプ本体３が加圧されることがない。
【００３０】
これによって、実施例１と同様に、作動ヘッドの軸線を中心とした回転の規制と、作動ヘッドの下降のロックを簡単な構成で行うことができる。
その他、この発明は上記実施例に限定されるものではなく、要するにこの発明の要旨を変更しない範囲で種々設計変更しうる。
【符号の説明】
【００３１】
１    手動式携帯用スプレー
２    液体容器
２ａ  口部
３    ポンプ本体
４    ガイド筒部
５    作動ヘッド
５ａ  噴射ノズル
６    クリップ
６ａ  基部
６ｂ  軸孔
７    ストッパ
７ａ  基盤部
７ｂ  摘片
７ｃ  枢軸
８    爪部
９
１０    溝
１０ａ  係止溝部
【図１】
2011125773.tif 000003
【図２】
2011125773.tif 000004
【図３】
2011125773.tif 000005
【図４】
2011125773.tif 000006
【図５】
2011125773.tif 000007
【図６】
2011125773.tif 000008
【図７】
2011125773.tif 000009
【図８】
2011125773.tif 000010